(57)【要約】      （修正有）【課題】大電力プラズマ処理などの処理のためにワークピースを支持する静電チャックを提供する。【解決手段】大電力プラズマ処理などの処理のためにワークピースを支持する静電チャックとして、ワークピースを支持するための上部プレート２０８であって、ワークピースを保持するための電極を有する上部プレートと、上部プレートを冷却するための上部プレートの下の冷却プレート２２０と、上部プレートを通ってワークピースにガスを供給するための、冷却プレートと上部プレートとを貫通するガス孔２１３と、孔を通ってガス流を導くための、冷却プレートのガス孔内の開口縮小プラグ２６２とを、含む。【選択図】図５
2020174180.tif 000002
【特許請求の範囲】
【請求項１】
処理のためにワークピースを支持する静電チャックであって、
前記ワークピースを支持する上部プレートであって、前記ワークピースを保持する電極を有する上部プレートと、
前記上部プレートの下にある冷却プレートであって、前記上部プレートを冷却する冷却プレートと、
前記冷却プレートおよび前記上部プレートを貫通するガス孔であって、前記上部プレートを通って前記ワークピースにガスを供給するガス孔と、
前記冷却プレートのガス孔内の開口縮小プラグであって、前記ガス孔を通ってガス流を導く開口縮小プラグと
を備える静電チャック。
【請求項２】
前記開口縮小プラグが、前記ガス孔内でのプラズマ点火を防止する、請求項１に記載のチャック。
【請求項３】
前記開口縮小プラグが、誘電体である、請求項１または２に記載のチャック。
【請求項４】
前記冷却プレートが、導電性である、請求項１から３のいずれか一項に記載のチャック。
【請求項５】
前記ガス孔が、取り付け具を備え、前記取り付け具において、前記冷却プレートの下方のガスが、前記冷却プレート内の前記開口縮小プラグへのチャネルへ供給される、請求項１から４のいずれか一項に記載のチャック。
【請求項６】
前記冷却プレートが、パック内の多孔性プラグに前記ガスを供給する、請求項１から５のいずれか一項に記載のチャック。
【請求項７】
前記開口縮小プラグが、多孔性セラミック材料から作られている、請求項１から６のいずれか一項に記載のチャック。
【請求項８】
前記多孔性セラミック材料が、窒化アルミニウム（ＡｌＮ）、酸化アルミニウム（Ａｌ２Ｏ３）、ポリエーテルエーテルケトン（ＰＥＥＫ）、ＶＥＬＳＥＬ（登録商標）のうちの少なくとも１つを含む、請求項７に記載のチャック。
【請求項９】
前記開口縮小プラグが、前記プラグを通ってガス流を導く中央管をさらに含む、請求項１から８のいずれか一項に記載のチャック。
【請求項１０】
前記開口縮小プラグが、中実材料で作られている、請求項９に記載のチャック。
【請求項１１】
前記開口縮小プラグが、前記プラグを通ってガス流を導く複数の追加の管をさらに含む、請求項１０に記載のチャック。
【請求項１２】
前記冷却プレート内のガスチャネルおよび／もしくは前記ガス孔の側壁、ならびに／または前記冷却プレートの頂部が、窒化アルミニウムまたはイットリアなどの誘電体コーティングで覆われている、請求項１から１１のいずれか一項に記載のチャック。
【請求項１３】
前記上部プレートのガス孔内に、前記ガス孔を通ってガス流を導く多孔性プラグをさらに備える、請求項１から１２のいずれか一項に記載のチャック。
【請求項１４】
上部プレートおよび冷却プレートを備えた静電チャックを使用してワークピースを処理する方法であって、前記冷却プレートから前記上部プレートを通って前記上部プレート内のガス孔を通って前記ワークピースの裏側に冷却ガスを導くことを含み、前記導くことが、前記冷却プレート内の開口縮小プラグを通って前記冷却ガスを導くことを含む、方法。
【請求項１５】
プラズマチャンバと、
ガスイオンを含むプラズマを前記プラズマチャンバ内に発生させるプラズマ源と、
ワークピースを支持する静電チャックであって、前記ワークピースを支持する上部プレートであって、前記ワークピースを保持する電極を有する上部プレートと、前記上部プレートの下にある冷却プレートであって、前記上部プレートを冷却する冷却プレートと、前記冷却プレートおよび前記上部プレートを貫通するガス孔であって、前記上部プレートを通って前記ワークピースにガスを供給するガス孔と、前記冷却プレートのガス孔内の開口縮小プラグであって、前記ガス孔を通ってガス流を導く開口縮小プラグと、を含む静電チャックと
を備えるプラズマ処理チャンバ。
【発明の詳細な説明】
【技術分野】
【０００１】
関連出願の相互参照
［０００１］本出願は、２０１６年６月２１日に出願された、「ＨＩＧＨ  ＰＯＷＥＲ  ＥＳＣ  ＤＥＳＩＧＮ  ＷＩＴＨ  ＰＯＲＯＵＳ  ＴＨＲＯＵＧＨ  ＨＯＬＥ  ＩＮ  Ａ  ＣＯＯＬＩＮＧ  ＰＬＡＴＥ」と題する、米国仮特許出願第６２／３５２，７１７号、および２０１６年６月７日に出願された、「ＨＩＧＨ  ＰＯＷＥＲ  ＥＳＣ  ＤＥＳＩＧＮ  ＷＩＴＨ  ＰＯＲＯＵＳ  ＴＨＲＯＵＧＨ  ＨＯＬＥ  ＩＮ  Ａ  ＣＯＯＬＩＮＧ  ＰＬＡＴＥ」と題する、米国仮特許出願第６２／３４６，８０２号の優先権を主張する。
【０００２】
［０００２］本明細書は、半導体およびマイクロメカニカル処理のためのワークピースを支持する静電チャックに関し、特にチャック内の内部多孔性貫通孔に関する。
【背景技術】
【０００３】
［０００３］半導体チップの製造において、シリコンウエハまたは他の基板は、異なる処理チャンバ内で様々な異なるプロセスに曝される。チャンバは、ウエハをいくつかの異なる化学的および物理的プロセスに曝すことができ、それによって微細な集積回路が基板上に形成される。集積回路を構成する材料の層は、化学気相堆積、物理気相堆積、エピタキシャル成長などを含むプロセスによって形成される。材料層のいくつかは、フォトレジストマスクおよび湿式または乾式エッチング技術を使用してパターニングされる。基板は、シリコン、ヒ化ガリウム、リン化インジウム、ガラス、または他の適切な材料であってよい。
【０００４】
［０００４］これらの製造プロセスでは、様々な材料層を堆積またはエッチングするために、プラズマが用いられ得る。プラズマ処理は、熱処理よりも多くの利点を提供する。例えば、プラズマ化学気相堆積（ＰＥＣＶＤ）は、類似の熱プロセスにおけるよりも低い温度かつ高い堆積速度で堆積プロセスを実行することを可能にする。したがって、ＰＥＣＶＤは、材料をより低い温度で堆積させることを可能にする。
【０００５】
［０００５］これらのプロセスで使用される処理チャンバは通常、処理中に基板を支持するためにその中に配置された基板支持体、ペデスタル、またはチャックを含む。いくつかのプロセスでは、ペデスタルは、基板の温度を制御し、かつ／またはプロセスで使用され得る高い温度を提供するように適合された埋め込みヒータを含むことができる。
【０００６】
［０００６］ＨＡＲ（高アスペクト比）プラズマエッチングは、曲がりのないプロファイルを達成するために、著しく高いバイアス電力を使用する。誘電体エッチングのためのＨＡＲをサポートするために、電力は２０ＫＷに増加されてもよく、これはＥＳＣ（静電チャック）に重大な影響をもたらす。現在の多くのＥＳＣ設計は、高バイアス電力の直接の結果として生じる高電圧に耐えることができない。ＥＳＣの中に設計された孔が、特に影響を被る可能性がある。さらに、過剰なラジカルが接合部を侵食すると、ＥＳＣは、リフトピン領域で接合不良を起こす可能性がある。他の影響は、ＥＳＣ表面温度がより速い速度で変化することである。ＥＳＣ表面の加熱は、印加されたＲＦプラズマ電力に正比例する。熱はまた、接合不良の結果である可能性がある。さらに、ＥＳＣ上に支持されたウエハの湾曲およびウエハ上の電荷の蓄積も、ウエハのデチャッキングをより困難にする。
【０００７】
［０００７］一般的なプロセスは、エッチング用途のために２ＭＨｚの６．５ＫＷプラズマ電力が印加されているウエハを保持するためにＥＳＣを使用する。高アスペクト比（例えば１００：１）の用途は、はるかに高いプラズマ電力を使用する。本明細書では、高いウエハバイアスを生成する低周波高電力プラズマ電圧とともに動作するＥＳＣが説明される。より高い電力は、絶縁破壊ならびにＥＳＣに設計されているガス孔でのプラズマ点火のために、ＥＳＣの故障を増大させるであろう。
【発明の概要】
【０００８】
［０００８］大電力プラズマ処理などの処理のためにワークピースを支持する静電チャックが、記載されている。実施形態において、チャックは、ワークピースを支持するための上部プレートであって、ワークピースを保持するための電極を有する上部プレートと、上部プレートを冷却するための上部プレートの下の冷却プレートと、上部プレートを通ってワークピースにガスを供給するための、冷却プレートと上部プレートとを貫通するガス孔と、孔を通ってガス流を導くための、冷却プレートのガス孔内の開口縮小プラグとを、含む。
【０００９】
［０００９］本発明の実施形態が、添付の図面の図において、限定ではなく例として示される。
【図面の簡単な説明】
【００１０】
【図１】本発明の一実施形態による、プラズマ処理チャンバ内での処理中のＥＳＣの熱画像の図である。
【図２】本発明の一実施形態による、ＥＳＣの上部プレート上のパックの上面図である。
【図３】本発明の一実施形態による、上部層およびパックを示すＥＳＣの部分断面側面図である。
【図４】本発明の一実施形態による、ベースプレート孔内にプラグを備えた、ベースプレートおよび上部プレート内のガス孔の部分断面側面図である。
【図５】本発明の一実施形態による、ベースプレート孔内に代替的なプラグを備えた、ベースプレートおよび上部プレート内のガス孔の部分断面側面図である。
【図６】本発明の一実施形態による、冷却プレートに電圧が印加されている静電チャックの断面側面図である。
【図７】本発明の一実施形態による、ワークピースキャリアを含むプラズマエッチングシステムの図である。
【発明を実施するための形態】
【００１１】
［００１７］記載されたＥＳＣは、大電力および高バイアス電圧に耐える。記載された本発明のＥＳＣは、ヘリウム（Ｈｅ）孔内でのプラズマ点火を防止するために冷却プレート内に多孔性プラグを使用する。ヘリウム孔は、ウエハ裏面冷却用のヘリウムを供給する。多くのＥＳＣは、冷却のためにウエハの裏面にヘリウムを供給するために、上部パックの中央付近に別個のチャネルを使用する。Ｈｅは、圧力をかけられてＥＳＣの底部に加えられ、ＥＳＣの上部プレートまたはパックを通ってパックとウエハ裏面との間の空間へ押し上げられる。Ｈｅ孔は、高電圧（ＲＦ電力）下でアーク放電が発生する可能性がある。本明細書に記載されているように、ＥＳＣ内のＨｅ孔内のアーク放電は、低減または除去され得る。
【００１２】
［００１８］図１は、プラズマ処理チャンバ内での処理中のＥＳＣ１０の熱画像の図である。中央スポット１２は、ヘリウム冷却ガス孔の位置に対応し、３つの周辺スポット１４は、リフトピン孔の位置に対応する。図のように、接合部が局所的に侵食されているため、３つのリフトピン領域が熱くなる。これらのホットスポットではウエハプロセスに関する問題があり、パックと支持プレートとの間の接合部が、ホットスポット（リフトピン）の周囲で侵食される。中央ガス孔を通ってＨｅをポンプ輸送することにより、これらの位置および他の位置における温度差を減少させるために、ウエハの裏面を横切って周囲へガスが押される。ポンプ輸送されたガスはまた、上部プレートをＥＳＣのその他部分に保持する接合材料を侵食する傾向があるウエハの裏面近くのラジカルの存在を減少させる。Ｈｅは、その電気的特性および熱伝導性のために、中央ガス孔１２を通って適用されるのに適したガスである。
【００１３】
［００１９］図２は、ＥＳＣの上部プレート上のパック２０６の上面図である。パックは、ウエハを保持するための内部電極を有することができる（図示せず）。電極は、誘電体層の下にあり、それが保持するウエハとほぼ同じサイズになるようにサイズ設定されている。電極は、ＤＣ電圧源に電気的に接続されている。
【００１４】
［００２０］中央ガス孔２１２と一緒に、周辺ガス孔２１３のさらなる配列およびリフトピン孔２１４の配列があってもよい。ガス孔は、追加の冷却ガスをウエハとパックとの間の空間に押し出すことを可能にする。リフトピン孔は、リフトピンが孔を通って延びて、ウエハを押してチャックから離すこと（デチャッキング）を可能にし、それによってウエハは、他のまたは追加の処理のために取り外されることができる。他の機能を実行するための追加の孔および他の構造があってもよい。図面を曖昧にしないようにするために、ヒータ、冷却チャネル、プラズマプロセス構造および他の構成要素は、示されていない。
【００１５】
［００２１］図３は、図２の上部層２０８およびパック２０６を示すＥＳＣの部分断面側面図である。上部プレートは、シリコンウエハまたは他の品目などのワークピース２０２を支持するように構成されている。この例では、ワークピースは、上部プレート内の電極２１０によって発生した静電気力によって保持されている。上部プレートは、セラミック、例えば窒化アルミニウムなどの誘電体材料で形成され、例えば接着剤を用いてベースプレート２２０に取り付けられる。ベースプレートまたは冷却プレートは、上部プレートを支持するために、アルミニウムなどの任意の適切な材料で形成することができる。ベースプレートは、冷却チャネル２３０、配線層、パイプ、管、およびパックと、パックに取り付けられて支持されるウエハ２０２とを支持するための他の構造（図示せず）を含むことができる。
【００１６】
［００２２］ベースプレートは、支持プレート２２６によって支持されている接地プレート２２４によって支持されている。絶縁プレート２２２は、Ｒｅｘｏｌｉｔｅ（登録商標）、または他のプラスチックもしくはポリスチレンの耐熱材料などの電気的および熱的アイソレータで形成されて、下側の接地プレートおよび支持プレートからベース冷却プレートを分離する。底部支持プレートは、電気的接続およびガス接続用の取り付け具を提供し、キャリアのための取り付け点および他の取り付け具を提供する。
【００１７】
［００２３］ガス孔２１３は、上部プレート２０８、ベースプレート２２０、絶縁プレート２２２、接地プレート２２４、および支持プレート２２６を貫通して延び、加圧下でガスを供給するガスライン２３２に接続している。ガスは、タンクおよびポンプなどの調整された冷却ガス供給源２３６または他の任意の種類の供給源によってガスラインに供給される。上述のように、冷却ガスは、ヘリウム、窒素、または高い熱伝導率を有する他の任意の適切な不活性ガスであってよい。中央または周辺のいずれのガス孔も、同一または類似の外観を有することができ、図示の孔は、いずれかのタイプを表す。
【００１８】
［００２４］図４は、ベースプレート２２２または冷却プレートおよび上部プレート２０８内のガス孔２１３の拡大部分断面側面図である。誘電体パック２０８が、接着剤２５２を用いて、導電性冷却プレート２２０に取り付けられている。ベースプレートは、上面に、それと接着剤との間において誘電体コーティングを有する。これにより、ベースプレートと上部プレートの間のアーク放電が減少する。パックは、プラズマ処理および他の処理中にウエハなどのワークピース（図示せず）を支持する。いくつかの実施形態では、冷却プレートは、パックと冷却プレートとの間の電位差を下げるためにＤＣ電圧が印加されている。冷却プレートの中心は、冷却プレートの孔２３３を通って延びるガスライン２３２用の取り付け具を有し、それを通って冷却ガスが、冷却プレートの下方から冷却プレート内のガスチャネル２４０に供給される。ガスチャネルは、チャネルの上に取り付けられている中実のカバー２６０によって覆われている。カバーは、冷却プレートのようにアルミニウムとすることができ、所定位置に電子ビーム溶接されている。チャネルは、カバー２６０を貫通する孔２５８に開口しており、冷却チャネル内の第１の多孔性プラグ２４２にガスを供給する。冷却チャネル内の多孔性プラグは、パック内の第２の多孔性プラグ２４６にガスを導く。パック内の多孔性プラグは、加圧下でガスを、ウエハ裏面に向かって、パックの頂部を貫通する中央孔２５０に結合する。より多くの冷却ガス孔がある場合、チャネルは、それらの孔まで延びることができ、カバー内の対応する孔が、対応する多孔性プラグまでガスを通過させる。
【００１９】
［００２５］ベースプレート内およびパック内のこれらのキャビティは、すべてアーク放電を起こしやすい。負電圧が、ウエハに結合されて、蒸気またはプラズマからウエハ上へのイオン衝撃を引き起こす。負電圧は、ウエハと、ヘリウムが導入されるキャビティを含む冷却プレートとの間に強い電界を発生させる。この強い電界のために、いくらかのヘリウムが点火される可能性があり、ＥＳＣに印加されるＲＦ電力は、ヘリウムが点火される場所に集中する。これは、そこで激しいアーク放電現象を引き起こす可能性がある。同じ現象が、ヘリウムに加えて窒素、アルゴンなどの他の種類の熱結合ガスでも起こる。
【００２０】
［００２６］冷却プレート内のプラグ２４２は、ガスが流れる開口を縮小する。これにより、冷却プレート内のアーク放電が低減または除去される。冷却を提供するために、冷却プレート２２０は、典型的には、アルミニウムなどの熱伝導性材料から作られる。これにより、冷却プレートはパックから熱を吸収し、それを冷却剤チャネル２３０に伝えることができる。熱伝導性材料は、多くの場合、導電性でもあり、それにより、ワークピースおよびパックに対する電圧を冷却プレートに伝導させる。この電圧は、ガスキャビティ内にアーク放電を誘発することができる。
【００２１】
［００２７］冷却プレート内のガスチャネル、ならびに孔およびガスラインの側壁は、窒化アルミニウムまたはイットリアなどの誘電体コーティングで覆われていてもよい。これは、ガスのアーク放電に対する保護に役立ち、導電性冷却プレートから開口縮小プラグへの電気的移行をもたらす。その他の点では熱伝導性の冷却プレートにおける誘電体の増加は、冷却プレートの孔にアーク放電が発生することなく、より高い外部プラズマ電圧およびバイアス電圧を可能にするのに役立つ。プラグ２４２も誘電体である場合、それは、冷却プレートの導電性に打ち勝つ。流れを可能にするために多孔性であることに加えて、開口縮小プラグは、より大きいガス流を可能にするために中央垂直管（図示せず）を任意選択で有してもよい。プラグの多孔性により、中央管の周りに追加のガス流が可能になり、冷却プレートの孔を通ってパック内にガス流が導かれる。より具体的には、中央管および多孔性材料は、ヘリウムなどの熱的ガスが多孔性プラグを通って冷却プレート２２０から上部プレート２０８内の多孔性プラグ２４６の中に流れることを可能にする。いくつかの実施形態では、中央管はなく、ヘリウム、または他の熱伝導ガスは、プラグの多孔性領域を通って流れる。
【００２２】
［００２８］冷却プレート内のこの追加の開口縮小プラグ２４２は、ウエハとＥＳＣ上面との間の熱伝達のためにヘリウムが導入されるウエハと冷却プレートとの間に生じる電界密度を低減する。
【００２３】
［００２９］上部プレート内の多孔性プラグは、ガスをガス孔２１３に導くためにテーパ形状を有する。上部プレートプラグ２４６の基部２４８は、冷却プレート内のプラグ２４２の頂部よりも狭いかまたはほぼ同じサイズである。上部プレートプラグの頂部２４４は、基部よりも狭く、ガスを、上部プレートの頂部を貫通する上側中央孔２５０に導き、それがガス孔２１３に通じている。ガス孔は、ワークピースと上部プレートとの間の熱伝導を促進するために、ワークピースの裏面に近接して配置される。プラグ２４６は、段差の後により狭い直径を有する段差形状を有するように示されているが、プラグは、複数の段差、狭くなる円錐直径、または組み合わせもしくは異なるテーパ効果を有することができる。
【００２４】
［００３０］示されるように、冷却プレート開口縮小プラグ２４２は、より大きなチャネル２４０内に配置される。これらは、両方とも円筒形として示されているが、所望のガス流ならびにガス流の方向および伝播に応じて任意の所望の形状を取り得る。プラグは、チャネルの直径の約半分であり、上部プレートに最も近いチャネルの頂部に対して配置される。プラグは、適切な接着剤を用いてチャネル壁に取り付けられてもよい。ガスが冷却プレートプラグから上部プレートプラグ２４６へ流れることを可能にするために、プラグ２４２の上方のチャネル２４０内に開口部２５４がある。この開口部は、図示のように、上部プレートプラグと同じ大きさでもよく、またはそれより小さくてもよい。
【００２５】
［００３１］２つの多孔性プラグは、同じまたは異なる多孔性誘電体材料から製造することができる。多種多様なセラミックを使用することができる。しかしながら、他の適切な材料もあり得る。例として、プラグは、窒化アルミニウム（ＡｌＮ）、酸化アルミニウム（Ａｌ２Ｏ３）、ポリエーテルエーテルケトン（ＰＥＥＫ）、ＶＥＬＳＥＬ（登録商標）などの多孔性セラミック材料、または任意の他の適切な材料で作られてもよい。材料の多孔度は、使用中に所望のガス流量を可能にするように選択される。多孔度が、十分なガス流量を供給するのに十分ではない場合、１つ以上の小さな垂直管が、プラグを貫通して穿孔されてもよい。
【００２６】
［００３２］図５は、冷却プレート内に代替的な流れおよび空間を制限する開口縮小プラグを備えた、ベースプレート２２２および上部プレート２０８内のガス孔２１３の拡大部分断面側面図である。冷却プレート内の図４の底部多孔性プラグ２４２は、アルミナ、ＡｌＮまたはプラスチックなどの任意の誘電体インサートと置き換えることができる。プラグは、その中に少なくとも１つの管を有するか、または冷却ガスが、孔を通って流れる。プラグは、ガス絶縁破壊電圧を低下させるが、ガス流の通りを改善し、ガス安定化時間およびガス放出時間を短くする。
【００２７】
［００３３］しかしながら、図５の例では、多孔性プラグ２４２は、アルミナまたは他の誘電体の中実の開口縮小プラグ２６２で置き換えられている。様々なセラミックを含む、他の任意の誘電性アモルファス、ポリマー、または他の非多孔性材料を使用することができる。プラグは、冷却ガスの流れを可能にするための中央管２６４を有する。それはまた、より高い総流量を可能にするために、中央管の側部に追加の垂直管２６６を有してもよい。管のサイズは、様々なガス流量に適するようにのみならず、様々な温度およびプラズマ電圧条件に適するように選択することができる。より高い電圧は、ガス絶縁破壊電圧を有効に低下させるために、より小さな管を必要とし得る。
【００２８】
［００３４］図４の例のように、誘電体パック２０８が、接着剤２５２を用いて、導電性冷却プレート２２０に取り付けられている。冷却プレートの中心は、ガスライン２３２用の取り付け具を有し、ガスライン２３２を通って冷却ガスが、冷却プレートの下方から冷却プレート内の通路２３３を通って冷却プレート内のチャネル２４０に供給される。チャネルは、チャネルカバー２６０の孔２５８を通って冷却チャネル内の下側の中実の開口縮小プラグ２６２にガスを供給する。冷却チャネル内の中実のプラグは、１つ以上の管を通ってパック内の上側多孔性プラグ２４６にガスを結合する。パック内の多孔性プラグは、加圧下でガスを、ウエハ裏面に向かって、パックの頂部を貫通する中央孔２５０に結合する。代替として、上側プラグは、取り外されてもよく、または任意の様々な異なる形状をとってもよい。
【００２９】
［００３５］図６は、上部パック内に電極を有する静電チャックの断面側面図である。図示の例において、チャックは、Ａｌ冷却プレートまたはベースプレート３０２を備えたＥＳＣである。図３の他のプレートは、図面を簡単にするために示されていない。あるいは、これらの他のプレートは、特定の用途によりよく適合するように削除されてもよい。パック３０６は、誘電性接着剤３０４の層でベースプレートに接合されている。接着剤は、パックとベースプレートとの間の電気的および熱的伝導を弱める。パックは、セラミックまたは他の誘電体で作られている。パックは、静電気力を用いて、ウエハ３０８などのワークピースを保持する。ワークピースは、本明細書ではウエハと呼ばれているが、チャックは、様々な異なる製品およびプロセスのために他のワークピースを支持することができる。この図は、本発明の特徴を曖昧にしないように、簡略化されている。
【００３０】
［００３６］ベースプレートは、他の多くの構成要素、特徴、ならびに熱流体、ガス流、ヒータ電力、センサ、および図３と図７に示すものを含む他の構成要素のための外部接続部を含むことができる。同様に、パックは、ヒータ、センサ、液体およびガス流チャネル、ならびにベースプレートを通って外部の構成要素に接続されている他の機構を含むことができる。物理的支持のためおよびこれらの他の構成要素のいくつかを支持するために、図示のベースプレートの下に追加のプレートがあってもよい。他の多くの追加の特徴があってもよいが、チャックのベースプレートおよび上部プレートを貫通する単一の中央管３３０が存在し、ウエハの裏面からチャックを通ってヘリウムなどの冷却および熱伝導ガスを運ぶことができる。追加のガス孔および他の孔があってもよい。ベースプレートおよびウエハを通る追加の孔３３２は、例えば、デチャッキングのためにウエハを押してチャックから離すためのリフトピンを提供することができる。孔は、中実または多孔性のいずれかである、上述のような開口制限プラグ（図示せず）を有してもよい。
【００３１】
［００３７］ウエハ３０８を保持するための静電気力は、ベースプレートおよびパックを通る電気コネクタまたはロッド３２０を通って外部電源３２２からワイヤメッシュに電圧を印加することによって帯電されるパックの上面の近くのワイヤメッシュまたはプレートなどの電極３１２を使用して生成される。１つのコネクタしか示されていないが、複数のコネクタがあってもよく、電極の異なる部分に対して異なる極性があってもよい。外部電源は、ＡＣ（交流）またはＤＣ（直流）電源またはその両方であってもよい。いくつかの実施形態では、ＤＣを印加して、電極に静電気を生じさせて、ウエハを保持する。ＡＣが、同じ目的のために使用されてもよいが、ウエハにバイアス電圧を誘導し、プラズマからウエハ上へのイオン衝撃を誘発するために使用されてもよい。
【００３２】
［００３８］この断面側面図において、ワイヤメッシュ３１２は、ウエハの近くの線として現れている。上面図では、メッシュは、パックの上面の近くの領域の大部分を覆う通常直交する交差ワイヤのウェブである。ワイヤは、銅、アルミニウム、またはモリブデンであってよい。あるいは、ワイヤメッシュは、パックに埋め込まれた中実または大部分中実の導電性プレートであってもよい。プレートは、異なる静電極性または電荷量を印加するために、いくつかの部分に分かれていてもよい。メッシュ３１２は、スクリーン印刷、堆積、またはスピニングによって形成することができる。あるいは、導電性プレートが、別個に鋳造または機械加工されて、次いで、上部プレートが形成されるときに、上部プレートの中に配置されてもよい。
【００３３】
［００３９］ベースプレート３０２もまた、電気コネクタ３２６を介してＤＣ電源３２４に結合されている。ＲＦ電源３２８も電気コネクタ３２６を使用してベースプレート３０２に結合することができる。ＲＦ電源３２８は、ＤＣ電圧源３２２、３２４のいずれかまたは両方と同じであっても異なっていてもよい。冷却プレートに供給される電力は、冷却プレートに電圧を印加することによって、冷却プレート内の冷却ガス孔３３０、３３２内でのプラズマ点火の可能性をさらに低下させるように働く。
【００３４】
［００４０］冷却プレートの電圧は、ウエハの電圧に対応するように選択されてもよい。ウエハの電圧が負の場合、冷却プレートに印加される電圧が、負であってもよい。負電圧は、ウエハと冷却プレートとの間の電位差を減少させる。これは、ガス孔内の電界密度を減少させる。
【００３５】
［００４１］一例として、−４ｋＶのＤＣ電圧バイアスがＲＦプラズマによってウエハ上に誘起されている場合、ウエハとベースプレートとの間に４ｋＶ以上の電位差がある。ベースプレートの電圧が変動することが可能である場合、電位差は、より大きくなるかもしれない。一方、ベースプレートに約−２ｋＶの電圧を印加することによって、電位差を半分減少させて約２ｋＶにすることができる。他の任意の負電圧を使用することができ、例として−２ｋＶが提供されている。典型的なＲＦプラズマプロセスでは、ウエハは、冷却プレートに印加されるバイアスＲＦ電力に対して負にバイアスされている。この印加されたＤＣ電圧はまた、ベースプレートとウエハとの間のパック内の電界を減少させる。
【００３６】
［００４２］図７は、本明細書に記載の実施形態による、ペデスタル１２８を有するプラズマシステム１００の部分断面図である。ペデスタル１２８は、基板が多数のプロセスおよびチャンバ条件に曝されている間に、広い温度範囲にわたって、ペデスタル上に配置された基板の温度を能動的に制御することを可能にする能動的冷却システムを有する。プラズマシステム１００は、処理領域１２０を画定する側壁１１２および底壁１１６を有する処理チャンバ本体１０２を含む。
【００３７】
［００４３］ペデスタル、キャリア、チャックまたはＥＳＣ１２８が、システム１００の底壁１１６に形成された通路１２２を通って、処理領域１２０に配置されている。ペデスタル１２８は、その上面に基板（図示せず）を支持するように適合されている。基板は、様々な異なる材料のうちのいずれかで作製された、チャンバ１００によって適用される処理のための様々な異なるワークピースのうちのいずれであってもよい。ペデスタル１２８は、基板温度を所望のプロセス温度に加熱および制御するために、加熱素子（図示せず）、例えば抵抗素子を任意選択で含んでもよい。あるいは、ペデスタル１２８は、ランプアセンブリなどの遠隔加熱素子によって加熱されてもよい。
【００３８】
［００４４］ペデスタル１２８は、処理領域１２０内でのペデスタル１２８の上昇および移動を制御する駆動システムを含むことができる電源出力または電源ボックス１０３にシャフト１２６によって結合されている。シャフト１２６は、ペデスタル１２８に電力を供給するための電力インターフェースをさらに含む。電源ボックス１０３は、熱電対インターフェースなどの電力および温度インジケータのためのインターフェースをさらに含む。シャフト１２６は、電源ボックス１０３に取り外し可能に結合するように適合されているベースアセンブリ１２９をさらに含む。円周リング１３５が、電源ボックス１０３の上方に示されている。一実施形態では、円周リング１３５は、ベースアセンブリ１２９と電源ボックス１０３の上面との間に機械的インターフェースを提供するように構成された機械的停止部またはランドとして適合された肩部である。
【００３９】
［００４５］ロッド１３０が、底壁１１６に形成された通路１２４を通って配置され、ペデスタル１２８を通って配置された基板リフトピン１６１を作動させるのに使用される。基板リフトピン１６１は、ワークピースをペデスタル上面から持ち上げて、典型的には基板移送ポート１６０を通ってロボット（図示せず）を使用して、チャンバから出し入れできるようにする。
【００４０】
［００４６］チャンバリッド１０４が、チャンバ本体１０２の上部に結合されている。リッド１０４は、それに結合された１つ以上のガス分配システム１０８を収容する。ガス分配システム１０８は、シャワーヘッドアセンブリ１４２を通って処理領域１２０Ｂ内に反応ガスおよび洗浄ガスを供給するガス入口通路１４０を含む。シャワーヘッドアセンブリ１４２は、フェースプレート１４６との中間に配置されたブロッカプレート１４４を有する環状ベースプレート１４８を含む。
【００４１】
［００４７］高周波（ＲＦ）源１６５が、シャワーヘッドアセンブリ１４２に結合されている。ＲＦ源１６５は、シャワーヘッドアセンブリ１４２に電力を供給して、シャワーヘッドアセンブリ１４２のフェースプレート１４６と加熱されたペデスタル１２８との間でのプラズマの発生を容易にする。一実施形態では、ＲＦ源１６５は、１３．５６ＭＨｚのＲＦ発生器などの高周波無線周波数（ＨＦＲＦ）電源であってもよい。別の実施形態では、ＲＦ源１６５は、ＨＦＲＦ電源と、３００ｋＨｚのＲＦ発生器などの低周波無線周波数（ＬＦＲＦ）電源とを含んでもよい。あるいは、ＲＦ源は、プラズマ発生を容易にするために、ペデスタル１２８などの処理チャンバ本体１０２の他の部分に結合されてもよい。誘電体アイソレータ１５８が、リッド１０４とシャワーヘッドアセンブリ１４２との間に配置されて、ＲＦ電力がリッド１０４に伝導されるのを防止する。ペデスタル１２８の所望の高さで基板と係合するシャドーリング１０６が、ペデスタル１２８の周囲に配置されてもよい。
【００４２】
［００４８］任意選択で、動作中に環状ベースプレート１４８を冷却するために、冷却チャネル１４７が、ガス分配システム１０８の環状ベースプレート１４８に形成される。ベースプレート１４８が所定の温度に維持されるように、水、エチレングリコール、ガスなどの熱伝達流体を冷却チャネル１４７を通って循環させることができる。
【００４３】
［００４９］チャンバライナアセンブリ１２７が、処理領域１２０内の処理環境への側壁１０１、１１２の曝露を防ぐために、チャンバ本体１０２の側壁１０１、１１２に非常に近接して処理領域１２０内に配置される。ライナアセンブリ１２７は、処理領域１２０からガスおよび副生成物を排出し、処理領域１２０内の圧力を制御するように構成されたポンピングシステム１６４に結合された円周ポンピングキャビティ１２５を含む。複数の排気口１３１が、チャンバライナアセンブリ１２７に形成されていてもよい。排気口１３１は、システム１００内の処理を促進するような、処理領域１２０から円周ポンピングキャビティ１２５へのガスの流れを可能にするように構成される。
【００４４】
［００５０］システムコントローラ１７０が、チャンバ内の製造プロセスを制御するために様々な異なるシステムに結合されている。コントローラ１７０は、温度制御アルゴリズム（例えば、温度フィードバック制御）を実行するための温度コントローラ１７５を含むことができ、ソフトウェアまたはハードウェア、またはソフトウェアとハードウェアの両方の組み合わせのいずれであってもよい。システムコントローラ１７０は、中央処理装置１７２、メモリ１７３、および入出力インターフェース１７４をさらに含む。温度コントローラは、ペデスタル上のセンサ（図示せず）から温度測定値１４３を受け取る。温度センサは、冷却剤チャネルに近接しても、ウエハに近接しても、またはペデスタルの誘電体材料内に配置されてもよい。温度コントローラ１７５は、感知された１つ以上の温度を用いて、ペデスタルアセンブリ１４２とプラズマチャンバ１０５の外部の熱源および／またはヒートシンク、例えば熱交換器１７７などとの間の熱伝達速度に影響を及ぼす制御信号を出力する。
【００４５】
［００５１］システムは、温度フィードバックループに基づいて流れが制御される制御された熱伝達流体ループ１４１を、さらに含んでもよい。例示的な実施形態において、温度コントローラ１７５は、熱交換器（ＨＴＸ）／冷却器１７７に結合されている。熱伝達流体は、熱伝達流体ループ１４１を通ってバルブによって制御される流量でバルブ（図示せず）を通って流れる。バルブは、熱流体の流量を制御するために、熱交換器に、または熱交換器の内部もしくは外部のポンプに組み込むことができる。熱伝達流体は、ペデスタルアセンブリ１４２内の導管を通って流れ、その後ＨＴＸ１７７に戻る。熱伝達流体の温度は、ＨＴＸによって上昇または下降し、その後、流体は、ループを通ってペデスタルアセンブリに戻る。
【００４６】
［００５２］ＨＴＸは、熱伝達流体を加熱し、それによって基板を加熱するためのヒータ１８６を含む。ヒータは、熱交換器内のパイプの周りの抵抗コイルを使用して、または加熱された流体が熱交換器を通って熱流体を含む導管に熱を伝導する熱交換器を用いて、形成されてもよい。ＨＴＸは、熱流体から熱を奪うクーラ１８８をさらに含む。これは、ラジエータを使用して熱を周囲空気もしくは冷却流体内に放出するか、または任意の他の様々な方法で行うことができる。ヒータおよびクーラは、温度制御流体が先ず加熱または冷却され、次いでその制御流体の熱が熱伝達流体ループ内の熱流体の熱と交換されるように、組み合わされてもよい。
【００４７】
［００５３］ＨＴＸ１７７とペデスタルアセンブリ１４２内の流体導管との間のバルブ（または他の流量制御装置）は、流体ループへの熱伝達流体の流量を制御するために温度コントローラ１７５によって制御されてもよい。構造および動作を簡単にするように、温度コントローラ１７５、温度センサ、およびバルブを組み合わせることができる。実施形態において、熱交換器は、流体導管から戻った後の熱伝達流体の温度を感知し、流体の温度とチャンバ１０２の動作状態に対する所望の温度とに基づいて熱伝達流体を加熱または冷却する。
【００４８】
［００５４］ペデスタルアセンブリに熱を加えるために、電気ヒータ（図示せず）が、ペデスタルアセンブリ内で使用されてもよい。典型的には抵抗素子の形態の電気ヒータは、所望の温度を得るためにヒータ素子にエネルギーを供給するように温度制御システム１７５によって制御される電源１７９に結合されている。
【００４９】
［００５５］熱伝達流体は、限定しないが脱イオン水／エチレングリコールなどの液体、３ＭからのＦｌｕｏｒｉｎｅｒｔ（登録商標）もしくはＳｏｌｖａｙ  Ｓｏｌｅｘｉｓ、Ｉｎｃ．からのＧａｌｄｅｎ（登録商標）などのフッ素化冷却剤、またはパーフルオロ不活性ポリエーテルを含有する流体などの任意の他の適切な誘電体流体であってもよい。本明細書ではＰＥＣＶＤ処理チャンバの文脈でペデスタルを説明しているが、本明細書で説明したペデスタルは、様々な異なるチャンバ内で様々な異なるプロセスのために使用することができる。
【００５０】
［００５６］加圧ガス供給源またはポンプおよびガス貯蔵器などの裏面ガス源１７８が、質量流量計１８５または他の種類のバルブを介してチャックアセンブリ１４２に結合されている。裏面ガスは、ヘリウム、アルゴン、またはチャンバのプロセスに影響を与えることなくウエハとパックとの間に熱対流および／または冷却をもたらす任意のガスであってよい。ガス源は、システムが接続されているシステムコントローラ１７０の制御下で、以下でより詳細に説明されるペデスタルアセンブリのガス出口を通ってウエハの裏面にガスをポンプ輸送する。
【００５１】
［００５７］本明細書に記載されているように、ウエハとペデスタルとの間の熱対流を改善するために、ペデスタルの上面とウエハとの間のウエハの裏面にガスを供給することができる。有効な半径方向のガス流が、ウエハの裏面を横切るガス流を改善する。ガスは、ペデスタルアセンブリの基部内のチャネルを通ってペデスタルの頂部までポンプ輸送されてもよい。チャネルは、リフトピン孔を含んでもよい。ペデスタルを通る流れを制御するために、マスフローコントローラを使用することができる。真空または化学堆積チャンバにおいて、裏面ガスは、処理中にウエハを加熱および冷却するための熱伝達媒体を提供する。
【００５２】
［００５８］処理システム１００は、とりわけ、プラズマ源、真空ポンプシステム、アクセスドア、マイクロマシニング、レーザシステム、および自動ハンドリングシステムなどの、図１に特に示されていない他のシステムを、さらに含むことができる。図示のチャンバは一例として提供されており、ワークピースの性質および所望のプロセスに応じて、本発明と共に任意の様々な他のチャンバを使用することができる。記載されたペデスタルおよび熱流体制御システムは、異なる物理的チャンバおよびプロセスと共に使用するために適合され得る。
【００５３】
［００５９］この説明では、多数の詳細が述べられているが、本発明がこれらの具体的な詳細なしに実施され得ることは、当業者には明らかであろう。いくつかの例では、本発明を不明瞭にすることを避けるために、周知の方法および装置は、詳細にではなくブロック図の形で示されている。本明細書を通じて「実施形態（ａｎ  ｅｍｂｏｄｉｍｅｎｔ）」または「一実施形態（ｏｎｅ  ｅｍｂｏｄｉｍｅｎｔ）」と言及した場合、その実施形態に関連して説明した特定の特徴、構造、機能または特性が本発明の少なくとも一つの実施形態に含まれることを、意味する。したがって、本明細書を通じて様々な箇所に「実施形態では」または「一実施形態では」という句が出現しても、必ずしも本発明の同じ実施形態を指すとは限らない。さらに、特定の特徴、構造、機能、または特性は、１つ以上の実施形態において任意の適切な方法で組み合わせることができる。例えば、２つの実施形態に関連する特定の特徴、構造、機能、または特性が相互に排他的ではない場合はいつでも、第１の実施形態を第２の実施形態と組み合わせることができる。
【００５４】
［００６０］本発明の明細書および添付の特許請求の範囲で使用される場合、単数形「１つの（ａ）」、「１つの（ａｎ）」および「その（ｔｈｅ）」は、文脈が明らかにそうでないことを示さない限り、複数形も含むことを意図する。本明細書で使用される「および／または」という言葉は、対応する列挙された項目のうちの１つ以上の項目の任意かつ全ての可能な組合せを指し、それらを包含する、ということもまた理解されよう。
【００５５】
［００６１］「結合された」および「接続された」という言葉は、それらの派生語とともに、構成要素間の機能的または構造的関係を説明するために、本明細書で使用され得る。これらの言葉は互いに同義語として意図されていないことを、理解されたい。むしろ、特定の実施形態では、「接続された」は、２つ以上の要素が互いに物理的、光学的、または電気的に直接接触していることを示すために、使用され得る。「結合された」は、２つ以上の要素が互いに直接的または間接的に（他の要素が間に介在している）物理的、光学的、または電気的に接触していること、および／または２つ以上の要素が互いに協働する、もしくは相互作用する（例えば、因果関係のように）ことを示すために使用され得る。
【００５６】
［００６２］本明細書で使用される「上方に（ｏｖｅｒ）」、「下に（ｕｎｄｅｒ）」、「間に（ｂｅｔｗｅｅｎ）」、および「上に（ｏｎ）」という言葉は、そのような物理的関係が注目に値する場合に、他の構成要素または層に対するある構成要素または材料層の相対位置を指す。例えば、材料層の文脈において、他の層の上（ｏｖｅｒ）または下（ｕｎｄｅｒ）に配置されたある層は、該他の層と直接接触していてもよいし、または１つ以上の介在層を有していてもよい。さらに、２つの層の間（ｂｅｔｗｅｅｎ）に配置された１つの層は、該２つの層と直接接触していてもよいし、または１つ以上の介在層を有していてもよい。対照的に、第２の層の「上に（ｏｎ）」ある第１の層は、その第２の層と直接接触している。構成要素アセンブリの文脈において、同様の区別がなされるべきである。
【００５７】
［００６３］ＥＳＣ設計の異なる実施形態の例は、ヘリウム孔内でのプラズマ点火を防止するための冷却プレート内の多孔性プラグを含む。
【００５８】
［００６４］実施形態は、誘電体プラグが冷却プレートのガス孔に配置される上記設計を含む。
【００５９】
［００６５］実施形態は、冷却プレートが導電性である上記設計を含む。
【００６０】
［００６６］実施形態は、誘電体プラグが貫通孔を有するか、または多孔性であって、ヘリウムがそれを通って冷却プレートから上部プレート内の多孔性プラグに入ることを可能にする上記設計を含む。
【００６１】
［００６７］実施形態は、冷却プレートが、冷却プレートの下方のガスが冷却プレートの多孔性プラグへのチャネルに供給されるガス孔のための取り付け具を有する、上記設計を含む。
【００６２】
［００６８］実施形態は、冷却プレート内のチャネルがパック内の多孔性プラグ内にガスを供給する上記設計を含む。
【００６３】
［００６９］実施形態は、多孔性プラグが、加圧下でガスを、ウエハ裏面に向かって、パックの頂部を貫通する孔に結合する上記設計を含む。
【００６４】
［００７０］実施形態は、多孔性プラグが多孔性誘電体材料から作られる上記設計を含む。
【００６５】
［００７１］実施形態は、多孔性プラグが多孔性セラミック材料、例えば窒化アルミニウム（ＡｌＮ）、酸化アルミニウム（Ａｌ２Ｏ３）、ポリエーテルエーテルケトン（ＰＥＥＫ）、ＶＥＬＳＥＬ（登録商標）、または任意の他の適切な材料から作られる上記設計を含む。
【００６６】
［００７２］実施形態は、冷却プレート内のガスチャネルおよびガス孔側壁が窒化アルミニウムまたはイットリアなどの誘電体コーティングで覆われている上記設計を含む。
【００６７】
［００７３］実施形態は、冷却プレートの頂部が窒化アルミニウムまたはイットリアなどの誘電体コーティングで覆われている上記設計を含む。
【００６８】
［００７４］実施形態は、ワークピースを保持するための手段を有する静電気を用いてワークピースを支持するための手段と、保持するための手段を冷却するための手段と、ワークピースの裏側に冷却ガスを運ぶための手段とを含み、運ぶための手段は、冷却するための手段の中に多孔性誘電体手段を含む。
【００６９】
［００７５］実施形態は、上部プレートおよび冷却プレートを備えた静電チャックを使用してワークピースを処理する方法を含み、この方法は、冷却プレートから上部プレートを通って上部プレートのガス孔を通ってワークピースの裏側に冷却ガスを運ぶことを含み、運ぶことは、冷却プレート内の誘電体多孔性プラグを通って冷却ガスを運ぶことを含む。
【図１】
2020174180.tif 000003
【図２】
2020174180.tif 000004
【図３】
2020174180.tif 000005
【図４】
2020174180.tif 000006
【図５】
2020174180.tif 000007
【図６】
2020174180.tif 000008
【図７】
2020174180.tif 000009
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
処理のためにワークピースを支持する静電チャックであって、
前記ワークピースを支持する上部プレートであって、前記ワークピースを保持する電極を有する上部プレートと、
前記上部プレートの下にある冷却プレートであって、前記上部プレートを冷却する冷却プレートと、
前記冷却プレートおよび前記上部プレートを貫通するガス孔であって、前記上部プレートを通って前記ワークピースにガスを供給するガス孔と、
前記冷却プレートのガス孔内の開口縮小プラグであって、前記ガス孔を通ってガス流を導く開口縮小プラグと
を備え、前記冷却プレートが、前記ガスを前記上部プレート内のプラグへと供給し、当該プラグは上面を有しテーパ形状を有し、前記上面は前記冷却プレートの反対方向を向き、前記テーパ形状は前記冷却プレートから前記上部プレートへの方向で内側に先細りし、前記ガス孔の一部が前記プラグの前記上面から前記上部プレートを通って延びる、静電チャック。
【請求項２】
前記開口縮小プラグが、前記ガス孔内でのプラズマ点火を防止する、請求項１に記載の静電チャック。
【請求項３】
前記開口縮小プラグが、誘電体である、請求項１または２に記載の静電チャック。
【請求項４】
前記冷却プレートが、導電性である、請求項１から３のいずれか一項に記載の静電チャック。
【請求項５】
テーパ形状を有する前記プラグが、多孔性プラグである、請求項１から４のいずれか一項に記載のチャック。
【請求項６】
前記開口縮小プラグが、多孔性セラミック材料から作られている、請求項１から５のいずれか一項に記載のチャック。
【請求項７】
前記多孔性セラミック材料が、窒化アルミニウム（ＡｌＮ）、酸化アルミニウム（Ａｌ２Ｏ３）、ポリエーテルエーテルケトン（ＰＥＥＫ）、ＶＥＬＳＥＬ（登録商標）のうちの少なくとも１つを含む、請求項６に記載のチャック。
【請求項８】
前記開口縮小プラグが、前記プラグを通ってガス流を導く中央管をさらに含む、請求項１から７のいずれか一項に記載のチャック。
【請求項９】
前記開口縮小プラグが、中実材料で作られている、請求項８に記載のチャック。
【請求項１０】
前記開口縮小プラグが、前記プラグを通ってガス流を導く複数の追加の管をさらに含む、請求項９に記載のチャック。
【請求項１１】
前記冷却プレート内のガスチャネルおよび／もしくは前記ガス孔の側壁が、窒化アルミニウムまたはイットリアなどの誘電体コーティングで覆われている、請求項１から１０のいずれか一項に記載のチャック。
【請求項１２】
前記冷却プレートの上部が、窒化アルミニウムまたはイットリアなどの誘電体コーティングで覆われている、請求項１から１１のいずれか一項に記載のチャック。
【請求項１３】
上部プレートおよび冷却プレートを備えた静電チャックを使用してワークピースを処理する方法であって、前記冷却プレートから前記上部プレート内のプラグへと前記上部プレート内のガス孔を通って前記ワークピースの裏側に冷却ガスを導くことを含み、前記プラグは上面を有しテーパ形状を有し、前記上面は前記冷却プレートの反対方向を向き、前記テーパ形状は前記冷却プレートから前記上部プレートへの方向で内側に先細りし、前記ガス孔が前記プラグの前記上面から前記上部プレートを通って延び、前記導くことが、前記冷却プレート内の開口縮小プラグを通って前記冷却ガスを導くことを含む、方法。
【請求項１４】
前記開口縮小プラグが、前記冷却プレートを通る孔を通ってガスを導く中央管を有する固体金属からなる、請求項１３に記載の方法。
【請求項１５】
さらに、前記冷却ガスを導く間に、プラズマチャンバ内で前記ワークピースにプラズマを付与することを含む、請求項１３に記載の方法。
【請求項１６】
プラズマチャンバと、
ガスイオンを含むプラズマを前記プラズマチャンバ内に発生させるプラズマ源と、
ワークピースを支持する静電チャックであって、前記ワークピースを支持する上部プレートであって、前記ワークピースを保持する電極を有する上部プレートと、前記上部プレートの下にある冷却プレートであって、前記上部プレートを冷却する冷却プレートと、前記冷却プレートおよび前記上部プレートを貫通するガス孔であって、前記上部プレートを通って前記ワークピースにガスを供給するガス孔と、前記冷却プレートのガス孔内の開口縮小プラグであって、前記ガス孔を通ってガス流を導く開口縮小プラグと、を含む静電チャックと
を備え、前記冷却プレートが、前記ガスを前記上部プレート内のプラグへと供給し、当該プラグは上面を有しテーパ形状を有し、前記上面は前記冷却プレートの反対方向を向き、前記テーパ形状は前記冷却プレートから前記上部プレートへの方向で内側に先細りし、前記ガス孔の一部が前記プラグの前記上面から前記上部プレートを通って延びる、プラズマ処理チャンバ。
【請求項１７】
前記静電チャックがさらに、前記冷却プレートの下に支持プレートを備え、前記支持プレートは、加圧下で前記ガス孔に前記ガスを供給するためにガスラインに接続するように構成されている、請求項１６に記載のチャンバ。
【請求項１８】
前記開口縮小プラグが、前記冷却プレートを通る孔を通って前記上部プレートにガス流を導く中央管を有する多孔性セラミックからなる、請求項１６に記載のチャンバ。
【外国語明細書】
2020174180000001.pdf